(57)【要約】【課題】  室内等の限定された空間で楽しむことができるようにボール等を滑らせる競技の特徴を活かしながら、適度な滑り具合のボール等を具備するゲーム用具を提供する。【解決手段】  ボール１とシート８を具備し、ボール１の底面に線状突起群６を構成するボール滑走面４を形成する。シートには、線状突起群１０を構成するシート滑走面９が形成されている。上記ボール１が上記シート８の上を滑るとき、その接触面は線接触状態を維持し、ボール１は少ない摩擦抵抗で滑る。【選択図】図７
2008178644.tif 000002
【特許請求の範囲】
【請求項１】
シート滑走面を有するシートと該シート滑走面に接して滑走するボール滑走面を有するボールを具備するゲーム用具であって、該シート滑走面と該ボール滑走面の接触面が線接触または点接触となるようシート滑走面を線状または点状突起群で形成したことを特徴とするゲーム用具。
【請求項２】
上記ボール滑走面は、線状突起群で形成されていることを特徴とする請求項１に記載のゲーム用具。
【請求項３】
上記線状突起群は格子形状に形成されている請求項１または２に記載のゲーム用具。
【請求項４】
上記線状突起群は複数の線形状に形成されている請求項１または２に記載のゲーム用具。
【請求項５】
上記線状突起群は複数の円形状に形成されている請求項１または２に記載のゲーム用具。
【請求項６】
上記線状突起群はジュラコン樹脂によって形成されている請求項１乃至５のいずれかに記載のゲーム用具。
【請求項７】
上記シートを滑り性のよい繊維材料で織編した織編物により構成し上記点状突起群を形成した請求項１に記載のゲーム用具。
【請求項８】
上記ボール滑走面は、滑り性のよい素材でフラットに形成されている上記請求項１に記載のゲーム用具。
【請求項９】
上記シートの下面には、表示シートが設けられている請求項１乃至８のいずれかに記載のゲーム用具。
【発明の詳細な説明】
【技術分野】
【０００１】
本発明は、室内等の限定された空間で手軽に楽しむことができるゲーム用具に関するものである。
【背景技術】
【０００２】
スティックとボールを使って楽しむ競技としてゴルフが広く親しまれているが、通常のゴルフでは使用しているボールや用具の性質上、住宅、庭、空き地等において手軽に楽しむことが難しく、用具一式を揃えるのにも多額の費用がかかる。通常のゴルフほどではなくとも、専用のゴルフ場または広い場所を必要とするという点においては、ゲートボール、マレットゴルフ、グラウンドゴルフ、パークゴルフ等についても同様である。
【０００３】
また、ゲートボール等を室内で楽しめるように、ゲートボール用ボールの表面に合成樹脂等で形成された複数の突起を放射状に突設して、床面との摩擦抵抗を大きくしたものがある（例えば、特許文献１参照）。しかし、球体である以上、打ち方によっては転がりすぎてしまう場合があり、室内等の限定された空間で楽しむのに最適であるとはいえなかった。
【０００４】
この点、室内等の限定された空間で手軽に楽しむことができるスポーツとして、フロアカーリング（例えば、特許文献２参照）が提案されている。該文献２にかかる発明は、ステンレス板や硬質プラスチックシートで形成されたカーリング用リンクと数個の曲面状の突起を下方に有するカーリング用ストーンにより構成されている。このゲームでは、球体を「転がす」のではなく、シート面上にストーンを「滑らす」構成のため、ゲートボール等の一般的な球技のようにボールが転がりすぎる心配がない。そのため、より狭い空間で手軽に楽しむことができ、想定された競技エリア内からボールが逸脱し遠くまで拾いにいかなければならないというような面倒もない。
【０００５】
しかし、上記のフロアカーリングでは、上記リンクがステンレス等で形成された平らなシートで構成されているので、表面に塵芥や汚れが付着すると、いくら滑り性のよい素材で形成してあっても次第に滑りが悪くなり、摩擦抵抗が大きくなってしまい、上記ストーンがうまく滑走しなかったり、滑走したとしてもブレーキがかかりすぎて競技としての面白みに欠けてしまったりする、という問題点があった。
【特許文献１】実公昭６３−３０４５０号公報（実用新案登録請求の範囲、１欄１８〜２２行目、図面）
【特許文献２】特開平６−１５４３６９号公報（請求項１、〔０００４〕、〔０００５〕、〔００１４〕、〔００１５〕、〔００１６〕、図４）
【発明の開示】
【発明が解決しようとする課題】
【０００６】
本発明が解決しようとする課題は、室内等の限定された空間で楽しむことができるようにボール等を滑らせる競技の特徴を活かしながら、適度な滑り具合のボール等を具備するゲーム用具を提供することである。
【課題を解決するための手段】
【０００７】
そこで、本発明によれば、シート滑走面を有するシートと該シート滑走面に接して滑走するボール滑走面を有するボールを具備するゲーム用具であって、該シート滑走面と該ボール滑走面の接触面が線接触または点接触となるようシート滑走面を線状または点状突起群で形成したことを特徴とするゲーム用具が提供され、上記課題が解決される。
【発明の効果】
【０００８】
本発明は、上記のように構成され、上記シート滑走面と上記ボール滑走面の接触面が線接触または点接触となるようにシート滑走面を線状突起群や点状突起群で形成したので、従来のようにシートをステンレス板等で構成した場合に比べて、該シート滑走面に塵芥や汚れ等が付着しにくく、滑りが悪くなりにくい。したがって、その摩擦抵抗が大幅に減少し、ボールの滑りが良くなり、様々なスポーツゲームを楽しむことができるようになる。また、ボール滑走面と点接触するようシートを滑り性のよい繊維材料で織編した織編物で構成したり、ボール滑走面を滑り性のよい素材でフラットに形成したボールと組み合わせたりしてもほぼ同様の効果が得られる。さらに上記線状突起群や点状突起群をジュラコン樹脂（ＰＯＭ）等の硬質合成樹脂で形成すれば、一層ボールの滑りは良くなり、興趣に富んだゲーム用具が得られる。
【発明を実施するための最良の形態】
【０００９】
以下に、本発明を適用したゲートボール様のゲーム用具の実施例について図面を参照しながら説明する。
【００１０】
まず、ボールの実施例について説明する。図１は、本発明の一実施例におけるボールの斜視図であり、図２は、該ボールの底面の斜視図である。
ボール１は、ルール上直径７．５ｃｍと定められているゲートボール用ボールを使用し、その中心点から例えば約１．５ｃｍ程度離れた部分を直線的に切除して球状本体部分２と球状本体底面３を形成し、該底面３にボール滑走面４を有する滑走補助具５を設置しているが、切除部位は適宜にできる。図示するように、底面の大きさは、切除する箇所により変化するから、各種のゲームに応じて適宜変化させればよい。
【００１１】
上記滑走補助具５は球状本体部分２と一体的に形成することもできるが、図に示す実施例では、別体に形成して、接着、溶着等により球状本体部分２に固着してある。また、その素材として、例えば図１、２に示す実施例では、ジュラコン樹脂（ＰＯＭ）等の滑り性のある硬質合成樹脂を用いているが、硬質合成樹脂に限られるものではなく、他の適宜の滑り性のある材質を用いてもよい。
【００１２】
上記滑走補助具５には、図２のようにボール滑走面４を形成するための線状突起群６が設けられている。この線状突起群６は種々の形状に形成することができ、図２に示す実施例では、格子状に形成されている。この格子状の突起群は、一本の線状突起の断面がほぼ三角形状になるように形成され、その頂点部分を通って伸びる稜線７の幅は実質上線接触可能となるように適宜幅に形成でき、図に示す実施例では、約０．５ｍｍ〜５ｍｍ程度に設けてある。その断面形状は、三角形状以外に、多角形や円形・楕円形等でもよく、その稜線が実質的に線接触可能な幅を有していればよい。上記線状突起群６は格子状に形成されているが、網状に形成したものや、略直線、略波形線、略山形屈曲線等の複数の線形状に形成したものでもよいし、図３、図４に示すように複数の同心円形状や複数の円または同心円その他の形状を分散配置してもよい。
【００１３】
ボール１への力の加え方によっては、例えば、スティックでボール１を強く打った際に転がってもハプニングとして楽しむことができるが、例えば、球状本体部分２の内部に金属製等のおもりを設置してボール１の重心を下げることで確実に滑走状態を保持させることもできる。
【００１４】
また、ボール１の全体の形状は、図１、２に示す実施例ではゲートボール様のゲームを楽しむためにほぼ球状に形成してあるが、その他の適宜の形状でもよく、例えば、幼児が喜ぶような動物等の形態を造形したものであってもよい。
【００１５】
次に、シートについて説明する。図５は、本発明の一実施例におけるシートの斜視図である。シート８は、シート滑走面９を有し、シート滑走面９は線状突起群１０で形成されている。線状突起群１０は種々の形状に形成することができ、図５に示す実施例では、線状突起群１０は、格子形状に形成され、この格子形状の線状突起群１０は、平板上に突設したものでもよいし、枠材に線状突起群を有する格子形状の部材を嵌合若しくは一体成形して形成したものでもよい。該線状突起群１０は、ジュラコン樹脂（ＰＯＭ）製等の滑り性のある硬質合成樹脂材料で形成されているが、その他適宜の滑り性のある材質で形成することができる。
【００１６】
上記シート８の線状突起群１０は、格子状の突起群を構成する一本の線状突起の断面形状がほぼ三角形状になるように形成され、その頂点部分を通って伸びる稜線１１の幅は実質上線接触となるよう適宜幅に形成でき、図に示す実施例では、約０．５ｍｍ〜５ｍｍ程度に形成されている。その断面形状は、三角形状以外に多角形状や円形状・楕円形状等でもよくその稜線が実質的に線接触可能な幅を有していればよい。また、上記線状突起群１０は、格子状に形成されているが、網状に形成したものや、略直線、略波形線、略山形屈曲線等の複数の線形状に形成したものでもよいし、図６に示すように複数の同心円形状や複数の円その他の形状を分散配置したり、これらを適宜組み合わせたりした形状に形成したものでもよい。なお、図に示す実施例では、格子状等の線状突起群１０により囲まれた部分は、空所となって表裏に通じる通孔が形成されているが、裏面側に適宜のプレート部を設けて、線状突起群１０により囲まれた部分が凹部となるように形成してもよい。
【００１７】
上記シート８は外枠１２を有し、この外枠１２に互いに嵌合する凹部１３、凸部１４を形成することによって、複数枚連結して組み合わせて所望の大きさのシートを作ることが可能となる。これによって、簡単に分解・組立ができるから、持ち運びが容易になる。このように、組み合わせるシート８の大きさ・枚数・線状突起の本数等を変えることによって、競技エリアの形状・面積・難易度等を自由に変えることができ、さらにゲームの楽しみ方が増える。凹部１３と凸部１４を直接嵌合させるというのは、シート８を組み合わせる際の一例であって、別体の連結部材（図示略）を用いてシート８を組み合わせたりしてもよい。
【００１８】
シート８上をボール１が滑っている様子が図７に示されている。ボール１のボール滑走面４とシート８のシート滑走面９は、それぞれの滑走面を構成するボール１の線状突起群６とシート８の線状突起群１０で構成されているから、接触面がほぼ線接触状態を維持してスライドする。したがって、面と点で接触する場合に比べて摩擦抵抗が大幅に減少し、適度にボールが滑るようになる。図７の状態では、ボール１及びシート８のいずれの滑走面も格子状に形成された線状突起群どうしを組み合わせてあるが、滑走に支障が無ければボール滑走面４の線状突起群６とシート滑走面９の線状突起群１０は形状が異なるものを組み合わせてもよい。
【００１９】
上記実施例では、シート滑走面を線状突起群で構成してあるが、ボール滑走面との接触面が点接触となるようシート滑走面を点状突起群で構成してもよい。
図８は、点状突起群を有するシートの一例を示し、シート１５は、ナイロン繊維等滑り性のよい繊維材料で織編した織編物により構成され、シート滑走面１６に点状突起群１７が形成される。例えば、平織り状に織編された繊維では、縦糸１８と横糸１９が互いに１本毎に浮沈を繰り返してその交錯点２０は略点状に突出し、これが点状突起群１７となって上記ボール滑走面と点接触し、適度な滑り性が実現される。
【００２０】
また、上記実施例では、ボール滑走面を線状突起群で構成してあるが、図９に示すように、ジュラコン樹脂（ＰＯＭ）等の滑り性のよい材質でフラットに形成して上記シート８と組み合わせてもよい。
【００２１】
以下では、ボール１及びシート８を使用したゲーム例について説明する。
【００２２】
図１０には、ゲートボール用のスティック（図示略）と上記ゲーム用具を使ったカーリング式のゲームが示されている。この場合、上記シート８を複数枚組み合わせて、レーン部分２１とティ部分２２を作る。ティ部分２２には得点サークル２３が表示されるようあらかじめ直接得点サークル２３がプリントされたシート８を使用するのが好ましい。そして、奇数・偶数を付し色分けしたボール１をゲートボール用スティックで順番に打ちながら競技すればよい。この際、カーリングと同様に、二打目以降はボール１を相手のボール１にぶつけて弾き飛ばしても構わないし、スティックを使わずに手でボールを投げるようにしてもよい。
【００２３】
図１１は、本発明のゲーム用具を用いてビンゴゲームを行う場合のシート８の組み合わせ及びその態様の一例を示した平面図である。打ち手側から見て奥部にはボール１が競技エリアの外に飛び出さないように衝立２４を起立させ、ナンバーサークル２５を有するナンバー部分２６を形成してある。弾力性に富んだ素材で衝立２４を作ることで、衝立２４に当たったボール１が跳ね返ってナンバーサークル２５に乗るというハプニングも楽しめる。技術的に向上すれば、意図的に衝立２４からの跳ね返りを利用する、といった楽しみ方も可能になる。
【００２４】
図１１に示す実施例では、正方形のシート８を単に組み合わせただけであるが、ナンバー部分２６に奥部に向かって上る傾斜をつけたり、ナンバーサークル２５を穴にしてボール１が落ち込むようにしたりしてもよい。ナンバー部分２６に穴を形成することで、奥の穴に入れるためには、かなり強くボール１を打ったり、衝立２４からの跳ね返りを狙ったり、といった高度な技術が必要となり、ゲーム自体の難易度も上がる。
【００２５】
図１２は、ボーリング式のゲームをできるようにしたシート８の組み合わせ及びその態様の一例を示した平面図である。上記二つのゲームと同様に、レーン部分２１とピン立て部分２７を上記シート８で形成し、ゲートボール用のスティックでボール１を打ち、ピン２８が何本倒れるかを競うことができる。幼児が楽しめるようにするため、ボール１やピン２８を動物の形態にしてもよいし、ボール１をヒーローのキャラクター、ピン２８を敵役のキャラクターの形態にして、ヒーローが敵を何人蹴散らせるか、といった趣向のゲームにしてもよい。
【００２６】
以上のように、本発明のゲーム用具を用いれば、様々なタイプのゲームを楽しむことができる。なお、この際、カーリング式ゲーム、ビンゴゲーム等に共通することであるが、例えば、図１３のように、シート８に透視性をもたせ、得点サークル１７、ナンバーサークル１９等をプリントした表示シート２９をシート８とは別に形成し、この表示シート２９をシート８の下に敷いて視覚できるようにすれば、ゲームごとにシート８自体を取り替えずとも、表示シート２９のみを取り替えればよく、経済的であり、携帯もより容易になる。
【図面の簡単な説明】
【００２７】
【図１】図面は本発明の一実施例を示し、ボールの斜視図である。
【図２】図１に示すボールの底面の斜視図である。
【図３】ボールの他の実施例を示す底面図である。
【図４】図３に示すボールの横断面図である。
【図５】シートの一実施例を示す斜視図である。
【図６】他の実施例を示す平面図である。
【図７】シート上をボールが滑っている様子の説明図である。
【図８】他の実施例を示す横断面図である。
【図９】他の実施例を示す横断面図である。
【図１０】本発明のゲーム用具を用いて行うカーリング式のゲームの一実施例を示すシートの平面図である。
【図１１】本発明のゲーム用具を用いて行うビンゴゲームのシートの組み合わせ及びその態様の一例を示した平面図である。
【図１２】本発明のゲーム用具を用いて行うボーリング式のゲームのシートの組み合わせ及びその態様の一例を示した平面図である。
【図１３】本発明のゲーム用具を用いて行うカーリング式のゲームの図７とは異なる実施例におけるシートの平面図である。
【符号の説明】
【００２８】
１  ボール
２  球状本体部分
３  球状本体底面
４  ボール滑走面
５  滑走補助具
６、１０  線状突起群
７、１１  稜線
８  シート
９  シート滑走面
１２  外枠
１３  凹部
１４  凸部
１５  シート
１６  シート滑走面
１７  点状突起群
１８  縦糸
１９  横糸
２０  交錯点
２１  レーン部分
２２  ティ部分
２３  得点サークル
２４  衝立
２５  ナンバーサークル
２６  ナンバー部分
２７  ピン立て部分
２８  ピン
２９  表示シート
【図１】
2008178644.tif 000003
【図２】
2008178644.tif 000004
【図３】
2008178644.tif 000005
【図４】
2008178644.tif 000006
【図５】
2008178644.tif 000007
【図６】
2008178644.tif 000008
【図７】
2008178644.tif 000009
【図８】
2008178644.tif 000010
【図９】
2008178644.tif 000011
【図１０】
2008178644.tif 000012
【図１１】
2008178644.tif 000013
【図１２】
2008178644.tif 000014
【図１３】
2008178644.tif 000015